(57)【特許請求の範囲】
【請求項１】
中空基部とその両側に張出フィンを有する縦仕切体を上下の横枠に回動自在に軸支することによって傾斜角度自在とした傾斜地用フェンスを連結するように隣接するフェンスの横枠間に配置した上下のジョイント基体と該上下のジョイント基体に対して横枠を上下方向傾斜自在に連結した上下の横枠連結部材とによるジョイント部材と，該ジョイント部材の上下の横枠連結部材間に配置した連結仕切体とを備えたフェンス連結構造であって，上記ジョイント部材の上下のジョイント基体を，それぞれ前後側壁と上下壁を具備して前後側壁の横枠側先端を開口するとともに該前後側壁の開口端部を前後側壁後方に向けて傾斜したボックス状とするとともに対向面に連結脚部を具備した成形部品による一対の基体構成部材によって形成し，同じく上記ジョイント部材の上下の横枠連結部材を，それぞれ正面扇形をなすボックス状とするとともに横枠側の先端に嵌合突部を突出して具備した一対の成形部品によって形成し，上記連結仕切体を，中空基部とその両側に張出フィンを備えて上記縦仕切体と同様に形成した一対の仕切体とし，該一対の連結仕切体の中空基部に各連結脚部を嵌合固定して該一対の連結仕切体の上下に一対の基体構成部材を配置するとともに該基体構成部材の後端を背合せ状に一体化して上記ジョイント基体を形成する一方，該ジョイント基体における一対の基体構成部材に各横枠連結部材の扇形中心をなす回動支点を回動自在に軸支することによって該横枠連結部材を一対の基体構成部材の開口に回動突没自在に配置し，且つ該横枠連結部材の上記各嵌合突部を隣接するフェンスの横枠長手方向端部に嵌合固定して，上記ジョイント部材と連結仕切体によって隣接するフェンスを傾斜連結してなることを特徴とする傾斜地用フェンスの連結構造。
【請求項２】
上記上下のジョイント基体及び上下の横枠連結部材のジョイント部材と連結仕切体に加えて，上下の水平回動部材と，該上下の水平回動部材間に配置した円筒の連結仕切体を備え，上記回動水平部材を，上下に段差をなす回動用の重合段差部と連結固定部とを備えた一対の成形部品によって形成し，該回動水平部材の各連結固定部に上記ジョイント基体における一対の基体構成部材の後端を連結するとともに重合段差部同士を回動自在に軸支固定し且つ該上下の回動水平部材間に上記円筒の連結仕切体を介設して配置して，隣接するフェンスの傾斜連結を屈曲傾斜連結としてなることを特徴とする請求項１に記載の傾斜地用フェンスの連結構造。
【発明の詳細な説明】
【０００１】
【発明の属する技術分野】
本発明はフェンスを連結する連結構造に関し，特に傾斜地用のフェンスを傾斜した状態乃至屈曲傾斜した状態に連結する傾斜地用フェンスの連結構造に関する。
【０００２】
【従来の技術及び発明が解決しようとする課題】
この種傾斜地用のフェンスとして，例えば縦小桟による縦仕切体を上下の横枠に回動自在に軸支することによって傾斜角度自在としたものが知られているが，この場合フェンスの連結は，例えばフェンス間に立設した支柱に対してブラケットを介して行なうものとされ，このときブラケットを支柱に回動自在に軸支することによって横枠の傾斜角度を自在とするものとされている。
【０００３】
この場合隣接するフェンスを直接に連結することなく，フェンス間に支柱を立設する必要があるから，傾斜地に岩石が存在したりすることによって支柱を立設できないと，フェンスの設置を行うことができなくなるし，またブラケットが支柱から露出するために外観が損なわれるといった問題が残されている。
【０００４】
本発明はかかる事情に鑑みてなされたもので，その解決課題とするところは，簡易且つ確実にして外観よく隣接するフェンスの直接の連結を行うことができるようにした傾斜地用フェンスの連結構造を提供するにある。
【０００５】
【課題を解決するための手段】
上記課題に沿って本発明は，上下に一対のジョイント基体と同じく上下に一対の横枠連結部材による上下のジョイント部材と，このジョイント部材間に配置した連結仕切体によって隣接するフェンスを外観よく傾斜連結し得るようにしたものであって，即ち請求項１に記載の発明を，中空基部とその両側に張出フィンを有する縦仕切体を上下の横枠に回動自在に軸支することによって傾斜角度自在とした傾斜地用フェンスを連結するように隣接するフェンスの横枠間に配置した上下のジョイント基体と該上下のジョイント基体に対して横枠を上下方向傾斜自在に連結した上下の横枠連結部材とによるジョイント部材と，該ジョイント部材の上下の横枠連結部材間に配置した連結仕切体とを備えたフェンス連結構造であって，上記ジョイント部材の上下のジョイント基体を，それぞれ前後側壁と上下壁を具備して前後側壁の横枠側先端を開口するとともに該前後側壁の開口端部を前後側壁後方に向けて傾斜したボックス状とするとともに対向面に連結脚部を具備した成形部品による一対の基体構成部材によって形成し，同じく上記ジョイント部材の上下の横枠連結部材を，それぞれ正面扇形をなすボックス状とするとともに横枠側の先端に嵌合突部を突出して具備した一対の成形部品によって形成し，上記連結仕切体を，中空基部とその両側に張出フィンを備えて上記縦仕切体と同様に形成した一対の仕切体とし，該一対の連結仕切体の中空基部に各連結脚部を嵌合固定して該一対の連結仕切体の上下に一対の基体構成部材を配置するとともに該基体構成部材の後端を背合せ状に一体化して上記ジョイント基体を形成する一方，該ジョイント基体における一対の基体構成部材に各横枠連結部材の扇形中心をなす回動支点を回動自在に軸支することによって該横枠連結部材を一対の基体構成部材の開口に回動突没自在に配置し，且つ該横枠連結部材の上記各嵌合突部を隣接するフェンスの横枠長手方向端部に嵌合固定して，上記ジョイント部材と連結仕切体によって隣接するフェンスを傾斜連結してなることを特徴とする傾斜地用フェンスの連結構造としたものである。
【０００６】
請求項２に記載の発明は，上記外観のよいフェンスの傾斜連結に加えて屈曲を行う屈曲傾斜連結をなし得るように，これを，上記上下のジョイント基体及び上下の横枠連結部材のジョイント部材と連結仕切体に加えて，上下の水平回動部材と，該上下の水平回動部材間に配置した円筒の連結仕切体を備え，上記回動水平部材を，上下に段差をなす回動用の重合段差部と連結固定部とを備えた一対の成形部品によって形成し，該回動水平部材の各連結固定部に上記ジョイント基体における一対の基体構成部材の後端を連結するとともに重合段差部同士を回動自在に軸支固定し且つ該上下の回動水平部材間に上記円筒の連結仕切体を介設して配置して，隣接するフェンスの傾斜連結を屈曲傾斜連結としてなることを特徴とする請求項１に記載の傾斜地用フェンスの連結構造としたものである。
【０００７】
【発明の実施の形態】
以下図面の例に従って本発明を更に具体的に説明すれば，図１乃至図６において１はフェンスであり，該フェンス１は，上下の横枠２に縦仕切体４を回動自在に軸支することによって傾斜角度自在とした傾斜地用のものとしてあり，このとき該フェンス１は，中空基部とその両側に張出フィンを有する縦仕切体を上下の横枠に回動自在に軸支することによって傾斜角度自在とした傾斜地用フェンスを連結するように隣接するフェンスの横枠間に配置した上下のジョイント基体と該上下のジョイント基体に対して横枠を上下方向傾斜自在に連結した上下の横枠連結部材とによるジョイント部材と，該ジョイント部材の上下の横枠連結部材間に配置した連結仕切体とを備えたものとしてある。
【０００８】
本例の縦仕切体４は，これを，横枠２に回動自在に軸支する幅方向中央位置の上記中空基部５と，該中空基部５の両側に相互に前後変位の位置関係を有するように左右交差方向に向けて突出した同幅にして基部長手方向全長左右の上記張出フィン６とを備えた面体をなすものとし，隣接する縦仕切体４の上記左右張出フィン６同士を部分的に重合して傾斜角度自在に連結してフェンス１を形成することによって，該フェンス１を目隠しフェンスとしてある。
【０００９】
本例のフェンス１は，例えばアルミ押出材を用いて構成したアルミ製の傾斜地用フェンスとしてあり，このときフェンス１の上下の横枠２は，例えばその各対向面に一対のフィン３を突設して該一対のフィン３間に上記縦仕切体４を受け入れる受入溝を備えた長尺矩形乃至方形の中空材によるものとする一方，上記縦仕切体４は，その中空基部５を矩形中空状とするとともに張出フィン６を，該中空基部５の両側に突出位置を前後に変位することによって隣接相互に部分的な重合を行うように突設したものとしてあり，このとき本例における両側の張出フィン６は，その先端に上記前後変位の変位幅を埋めるように前後逆方向に向けた先端リブ７を突設したものとし，該先端リブ７によって上記部分的に重合した張出フィン６間を閉塞するようにしたものとしてあり，これにより上記張出フィン６の部分的重合により正面及び背面側からの透視を防止するとともに上記先端リブ７の突設により斜め前方からの透視を防止するようにし，目隠しフェンスとしての目隠し性，即ちブラインド性を略完全に確保するようにしたものとしてある。
【００１０】
傾斜地用フェンス１は，ジョイント部材１０と連結仕切体  を用いてその連結を行なって傾斜地に応じた傾斜角度でその設置を行なうようにしてあり，ジョイント部材１０は，隣接するフェンスの横枠間に配置した上下のジョイント基体と該上下のジョイント基体に対して横枠を上下方向傾斜自在に連結した上下の横枠連結部材とによって形成し，連結仕切体は，該ジョイント部材の上下の横枠連結部材間に配置したものとしてあり，このとき上記ジョイント部材の上下のジョイント基体は，これを，それぞれ前後側壁と上下壁を具備して前後側壁の横枠側先端を開口するとともに該前後側壁の開口端部を前後側壁後方に向けて傾斜したボックス状とするとともに対向面に連結脚部を具備した成形部品による一対の基体構成部材によって形成し，同じく上記ジョイント部材  の上下の横枠連結部材  は，これを，それぞれ正面扇形をなすボックス状とするとともに横枠側の先端に嵌合突部を突出して具備した一対の成形部品によって形成したものとしてある。また上記連結仕切体は，これを，中空基部とその両側に張出フィンを備えて上記縦仕切体と同様に形成し一対の仕切体としてあり，本例にあって上記縦仕切体４と同様に中空基部１５とその両側に張り出しフィン６を備えて，縦仕切体４と同様な外観を呈して連結部空間を仕切るようにしてある。
【００１１】
本例にあってジョイント部材１０の上記ジョイント基体１１及び横枠連結部材２４は，例えば硬質樹脂，鋳物等の成型部品によるものとしてあり，本例の上記ジョイント基体１１は，これを左右方向に分離構成した一対の基体構成部材１２によるもの，例えば左右に対称の部材としてあり，該一対の基体構成部材１２は，本例にあって分離した状態のまま上記連結仕切体１４にそれぞれ固定することによって該連結仕切体１４を介して背合せ状に一体化してジョイント基体１１を形成してある。
【００１２】
即ち一対の基体構成部材１２は図示するように上下に反転して使用するものとしてあるところ，上位に使用の基体構成部材１２の構成は，前後側壁と上下壁とを備えるとともに上壁を短く，下壁を長くするように前後側壁の先端側，即ち横枠側を上向きに傾斜し，該上向きに傾斜した前後側壁の先端側の横枠側を開口した中空のボックス状をなすようにし，下面に上記連結仕切体１４への嵌合固定用の脚部１３を備えた，例えば樹脂，アルミ鋳物等の成型部品によるものとしてある。該一対の基体構成部材１２は，一対の連結仕切体１４の中空基部１５にその各連結脚部１３を嵌合固定して該一対の連結仕切体１４の上下に配置してあり，該固定は，連結仕切体１４の中空の基部１５に嵌合した後にネジ等の固定金具１８によって行って，ジョイント基体１１をなすように左右に一体化してあり，このとき連結仕切体１４は，これを基体構成部材１４の幅に合わせてあり，これによって各一対のジョイント基体１１と連結仕切体１４を単一のパネル状としてフェンス１間に介設するようにしてある。
【００１３】
一方横枠連結部材２４は，上端を円弧とした前後側壁と側壁間の上壁とを備えるとともに前後側壁を１／４円以下，例えば１／６円程度とする正面扇形をなし，例えば先端側を開口した同じく中空のボックス状をなすようにし，後端に上記中空材による横枠２の長手方向端部に嵌合固定する嵌合突部２５を備えた，同じく例えば樹脂，アルミ鋳物等の成型部品によるものとしてあり，このとき上記基体構成部材１２の上記前後側壁による開口とこれに続く中空部の前後幅に対して，横枠連結部材２４の前後外法寸法を僅かに幅狭としてある。
【００１４】
ジョイント基体１１，本例にあっては分離構成した一対の基体構成部材１２と横枠連結部材２４とは，該ジョイント基体１１における一対の基体構成部材１２に各横枠連結部材２４の扇形中心をなす回動支点を回動自在に軸支することによって該横枠連結部材２４を一対の基体構成部材１２の開口に回動突没自在に配置してあり，該配置は上記回動支点を，基体構成部材１２の開口端部の上記前後側壁における，本例において下端，即ち下壁側端部に，例えばネジ２６止めすることによってその軸支を行ってある。上記基体構成部材１２の前後幅と前後外法寸法の相違により，横枠連結部材２４は，基体構成部材１２，即ちジョイント基体１１に対して回動突没自在としてあり，また該横枠連結部材２４の上記各嵌合突部２５は，これを隣接するフェンス１の横枠２長手方向端部に嵌合固定してある。このとき横枠連結部材２４の上記嵌合突部２５の嵌合は横枠２の中空部に対して行い，同じくネジ等の固定金具２７によって該横枠２に該横枠連結部材２４を固定してあり，これによって該嵌合突部２５が横枠２長手方向端部から突設するようにして，上記ジョイント基体１１を横枠２に連結固定するように設置したものとしてある。
【００１５】
本例のジョイント部材１０と連結仕切体１４を用いたフェンス１の連結は，ジョイント部材１０の両側に軸支した横枠連結部材２４が，その軸支の回動支点を回動の中心として所定角度の回動を行い，この横枠連結部材２４に連結固定した横枠２を傾斜角度自在に連結することができ，従って平地，傾斜地に応じて同一角度，異なる角度で同一線上の直線に配置した隣接するフェンス１間にジョイント部材１０を介設することによって，隣接するフェンス１の傾斜角度を問わずにフェンス１同士を直線傾斜連結することができるようになり，またこのとき上記横枠連結部材２４をジョイント基体１１に突没回動自在としたことによってジョイント基体１１と横枠連結部材２４間に空隙が生じたりすることなく，連結部を連続するようにしたその外観を良好に保つことができる。
【００１６】
またこのとき本例のフェンス１は，上記縦仕切体４における張出フィン６の重合と該張出フィン６先端の先端リブ７の突設によって，内外及び斜め方向の透視を完全に防止するとともに連結仕切体１４を縦仕切体４と同様に基部１５と張出フィン１６を備えたものとしたことにより，上記ジョイント部材１０，特にそのジョイント基体１１を介設することによって生じるフェンス１間の連結部空間を同様に内外及び斜め方向の透視を防止した状態に仕切るとともに該連結部をフェンス１と同様の外観を呈するものとして，全体として目隠しフェンスとしてその設置状態におけるデザインを統一したものとすることができる。
【００１７】
図中８はフェンス１を設置する支柱である。
【００１８】
図７及び図８は，上記上下のジョイント基体及び上下の横枠連結部材のジョイント部材と連結仕切体に加えて，上下の水平回動部材と，該上下の水平回動部材間に配置した円筒の連結仕切体を備えて，隣接するフェンス１の傾斜連結を屈曲傾斜連結とした例を示しており，本例にあって上記回動水平部材  を，上下に段差をなす回動用の重合段差部と連結固定部とを備えた一対の成形部品によって形成し，該回動水平部材の各連結固定部に上記ジョイント基体における一対の基体構成部材の後端を連結するとともに重合段差部同士を回動自在に軸支固定し且つ該上下の回動水平部材間に上記円筒の連結仕切体を介設して配置したものとしてある。即ちジョイント部材１０のジョイント基体１１は，その上記左右方向に分離構成した一対の基体構成部材１２をそのまま用いて，該一対の基体構成部材１２間に，選択的に使用する水平回動部材１９を介設して，これらを相互に軸支することによって，フェンス１の直線の傾斜連結に加えて水平方向に回動自在の連結を行って上記屈曲傾斜連結を行うようにしてある。
【００１９】
即ち本例の一対の基体構成部材１２間に介設する上記水平回動部材１９は，基体構成部材１２に一端を固定して上下に重合軸支することによって相互に水平回動自在とした上下に段差をなす回動用の各重合段差部２０と基体構成部材１２への連結固定部２１とを有する同じく成型部品による一対の部材によるものとし，例えばその連結固定部２１を，上記一対の基体構成部材１２に設けた後端の窓部に嵌合固定し，必要に応じて該連結固定部２１を，ブラケット２２を介して基体構成部材１２に更に固定する一方，重合段差部２０を重合して垂直方向の支軸２３によって回動自在に軸支連結して，上記一対の基体構成部材１２間に介設したものとしてあり，該介設によって上記直線傾斜連結用に用いたジョイント基体１１をそのまま共用して，ジョイント部材１０を上記コーナー，凹凸に対応して屈曲した傾斜連結を可能とするように屈曲傾斜連結用のものとし得るようにしてある。
【００２０】
このとき上記水平回動部材１９の径に応じて該水平回動部材間に同じく縦仕切体４と同様な外観を呈する円筒の連結仕切体１４を介設することによって同じく連結部空間を仕切るようにしてあるが，その余は上記例と変わらないので同一符号を付してその説明を省略する。
【００２１】
図示した例は以上のとおりとしたが，縦仕切体を縦小桟とし，該縦小桟を横枠に回動自在に軸支してフェンスを縦格子のものとすること等を含めて，本発明の実施に当って，フェンス，その横枠，縦仕切体，ジョイント部材，そのジョイント基体，横枠連結部材，連結仕切体，必要に応じて用いる水平回動部材等の各具体的形状，構造，材質，これらの関係，これらに対する付加等は，上記発明の要旨に反しない限り，様々の形態のものとすることができる。
【００２２】
【発明の効果】
上記課題に沿って請求項１に記載の発明は，上下に一対のジョイント基体と同じく上下に一対の横枠連結部材による上下のジョイント部材と，このジョイント部材間に配置した連結仕切体によって隣接するフェンスを簡易且つ確実に傾斜連結するとともにジョイント部材のジョイント基体と横枠間の空隙を横枠連結部材が埋めるようにしてフェンスの傾斜連結を外観よくなし得るようにした傾斜地用フェンスの連結構造を提供することができる。
【００２３】
請求項２に記載の発明は，上記外観のよいフェンスの傾斜連結に加えて屈曲を行う屈曲傾斜連結をなし得る傾斜地用フェンスの連結構造とすることができる。
【図面の簡単な説明】
【図１】  フェンスの連結状態を示す正面図である。
【図２】  フェンスの他の連結状態を示す正面図である。
【図３】  フェンスとジョイント部材の関係を示す斜視図である。
【図４】  フェンスの連結部分近傍の拡大正面図である。
【図５】  図３の連結部分近傍の拡大横断面図である
【図６】  フェンスの縦仕切体の拡大断面図である。
【図７】  他の例を示すフェンスの連結部分近傍の拡大正面図である。
【図８】  直角に屈曲連結した状態の図６連結部分近傍の拡大横断面図である。
【符号の説明】
１  フェンス
２  横枠
４  縦仕切体
６  張出フィン
７  先端リブ
１０  ジョイント部材
１１  ジョイント基体
１２  基体構成部材
１４  連結仕切体
１９  水平回動部材
２４  横枠連結部材
【図１】
0004090212.tif 000002
【図２】
0004090212.tif 000003
【図３】
0004090212.tif 000004
【図４】
0004090212.tif 000005
【図５】
0004090212.tif 000006
【図６】
0004090212.tif 000007
【図７】
0004090212.tif 000008
【図８】
0004090212.tif 000009